(57)【要約】電子装置において、第１の電子回路は、少なくとも２つの動作モードのうちの選択された１つにおいて選択可能に動作させられる。第２の電子回路は、電力供給上昇モードおよび電力供給低下モードにおいて選択可能に動作させられる。この第２の電子回路は、もしも第１の電子回路が少なくとも２つの動作モードのうちの１つの動作モードで動作させられるならば、電力供給低下モードに置かれることになる。
2005509212.tif 000002
【特許請求の範囲】
【請求項１】
少なくとも２つの動作モードで動作可能な第１の電子回路と、
電力上昇モードと電力低下モードで動作可能な第２の電子回路と、を備える電子装置であって、
前記第１の電子回路が前記少なくとも２つの動作モードのうちの１つのモードで動作しているときに、前記第２の電子回路を電力低下モードに設定するように構成された電子装置。
【請求項２】
少なくとも１つの電力制御ビットを備えるレジスタをさらに備え、前記少なくとも１つの電力制御ビットの第１の設定の際には、電力上昇動作および電力低下動作を非作動状態にする請求項１に記載の電子装置。
【請求項３】
前記第１および第２の電子回路の電力上昇および電力低下を個別に制御するための追加電力制御手段をさらに備え、前記追加電力制御手段は前記第１の設定で活性化される請求項２に記載の電子装置。
【請求項４】
前記電力上昇動作および前記電力低下動作は、前記少なくとも１つの電力制御ビットの少なくとも第２の設定で活性化される請求項２に記載の電子装置。
【請求項５】
前記第１および第２の設定は、前記電子装置のユーザにより設定可能である請求項４に記載の電子装置。
【請求項６】
前記第１の電子回路は、複数の入力信号の選択された１つを選択可能にサンプリングするためのアナログ前部を備え、前記第２の電子回路は、前記複数の入力信号のうち選択されなかった入力信号に関連する前記アナログ前部の回路構成に対応する前記第１の電子回路の一部分である請求項１に記載の電子装置。
【請求項７】
前記第１の電子回路は、複数の入力信号の選択された１つを選択可能にサンプリングするためのアナログ前部を備え、前記少なくとも２つの動作モードのうち第１の動作モードは、第１のクロック手段と一体となって行なうサンプリングを含むと共に、前記第２の電子回路は第２のクロック手段であり、前記少なくとも２つの動作モードのうち第２の動作モードは、前記第２のクロック手段と一体となって行なうサンプリングを含むと共に、前記第１の動作モードでは、前記第２の電子回路を前記電力低下モードに設定する請求項１に記載の電子装置。
【請求項８】
前記複数の入力信号のうち選択されなかった入力信号に関連する前記アナログ前部におけるアナログ前部回路構成への電力供給を低下させる電力供給低下手段をさらに備える請求項７に記載の電子装置。
【請求項９】
前記第２のクロック手段は、位相固定ループ（phase-locked loop）回路を含む請求項７に記載の電子装置。
【請求項１０】
バッテリにより動作させられる装置である請求項１に記載の電子装置。
【請求項１１】
電子装置用の集積回路であって、
少なくとも２つの動作モードで動作可能な第１の電子回路と、
電力上昇モードと電力低下モードで動作可能な第２の電子回路と、を備え、
前記電子装置は、前記第１の電子回路が前記少なくとも２つの動作モードのうちの１つのモードで動作しているときに、前記第２の電子回路を電力低下モードに設定するように構成された集積回路。
【請求項１２】
前記第１の電子回路は、複数の入力信号の選択された１つを選択可能にサンプリングするためのアナログ前部を備え、前記第２の電子回路は、前記複数の入力信号のうち選択されなかった入力信号に関連する前記アナログ前部の回路構成に対応する前記第１の電子回路の一部分である請求項１１に記載の集積回路。
【請求項１３】
前記第１の電子回路は、複数の入力信号の選択された１つを選択可能にサンプリングするためのアナログ前部を備え、前記少なくとも２つの動作モードのうち第１の動作モードは、第１のクロック手段と一体となって行なうサンプリングを含むと共に、前記第２の電子回路は第２のクロック手段であり、前記少なくとも２つの動作モードのうち第２の動作モードは、前記第２のクロック手段と一体となって行なうサンプリングを含むと共に、前記第１の動作モードでは、前記電子装置が前記第２の電子回路を前記電力低下モードに設定する請求項１１に記載の集積回路。
【請求項１４】
前記複数の入力信号のうち選択されなかった入力信号に関連する前記アナログ前部におけるアナログ前部回路構成への電力供給を低下させる電力供給低下手段をさらに備える請求項１１に記載の電子装置。
【請求項１５】
電子装置を動作させる方法であって、
−少なくとも２つの動作モードにおける選択された１つの動作モードで、第１の電子回路を選択可能に動作させ；
−電力上昇モードおよび電力低下モードで、第２の電子回路を選択可能に動作させ；さらに
−前記第１の電子回路が前記少なくとも２つの動作モードにおける前記選択された１つの動作モードで動作させられているときに、前記第２の電子回路を前記電力低下モードに設定する
を備える方法。
【発明の詳細な説明】
【０００１】
【発明の属する技術分野】
この発明は電子装置に係り、特に、バッテリで駆動される電子装置の電力を節約する電子装置に関する。このような電子装置は、セル電話機、個人向けインテリジェント通信機、携帯情報端末（ＰＤＡ）、手持ち式のＰＣ（パーソナルコンピュータ）、手の平サイズのＰＣ、またはその他の最適な電子装置に搭載可能である。
【０００２】
さらに、この発明は、このような電子装置用の集積回路に係り、特に、音響用コーデック（符号化／復号化器）のような集積回路に関する。
【０００３】
さらに、この発明は、電子装置を動作させる方法に関する。
【０００４】
【関連する技術の説明】
インテル（登録商標）の「『音響用コーデック（以下、ＡＣ）９７』１９９８年５月２２日発行２．１版の１３〜１６頁および４５〜４８頁」のＡＣ９７コンポーネント仕様書は、ラインレベル・ステレオ入力、マイクロホン入力、その他の入力および出力を伴った１６ビット全二重（full-duplex）ステレオ音響コーデック（ＤＡＣおよびＡＤＣ）を特定している。ＡＣ９７仕様書の１３〜１５頁に説明されているように、音響サンプリングレートは固定であっても可変であっても良い。ＡＣ９７仕様書の第４５頁には、表１９における電力低下制御ビットが種々の電力低下モードを制御することが示されており、これらのモードにおいては、音響符号のブロックは、例えば入力ＡＤＣ，出力ＤＡＣ等のように、電力供給を低下させられている。ＡＣ９７仕様書の第４６〜４７頁においては、このような低電力モードがより詳細に説明されている。
【０００５】
より一般的には、回路ブロックの選択可能な電力の低下、または、低減された電力での駆動回路ブロックが、ＩＣ（Integrated Cirsuit―集積回路―）や、例えばセル電話やＰＤＡやその他の携帯可能な電子装置のようなこのようなＩＣを用いる携帯可能な電子装置内で用いられていることが良く知られており、これらの電子装置においては、バッテリの寿命を延ばすために電力の消費を管理する必要性がある。
【０００６】
【発明の概要】
この発明は、電子装置の動作モードを考慮する多用途で高精度の（smart）電力管理方法を提供することを目的としている。
【０００７】
この発明の他の目的は、バッテリにより駆動される電子装置に、このようにより高精度の電力管理を提供することにある。
【０００８】
この発明によれば、電子装置が提供され、この電子装置は、
−少なくとも２つの動作モードで動作可能な第１の電子回路と；
−電力上昇モードと電力低下モードで動作可能な第２の電子回路と、を備え、前記電子回路は、前記第１の電子回路が前記少なくとも２つの動作モードのうちの１つの動作モードで動作しているときに、第２の電子回路を前記電力低下モードに設定するように構成されている。
【０００９】
１つの実施形態において、前記第２の電子回路は前記第１の電子回路の一部分であっても良い。その１つの適用例としては、電子装置が音響用コーデックであり、第１の電子回路が複数の入力信号のうちの１つの信号を選択可能にサンプリングするアナログ前部（front end）であり、第２の電子回路が現時点で選択されていない入力チャンネルまたは現時点で用いられていない入力チャンネルである。
【００１０】
他の実施形態において、第１および第２の電子回路は、別個の回路であっても良い。その１つの適用例としては、電子装置が音響用コーデックであり、第１の電子回路が複数の入力信号のうちの１つの信号を選択可能にサンプリングするアナログ前部であり、第２の電子回路が使用されていないときに電力の供給が低減される位相固定ループ回路を含む第２の別個のクロック手段であり、例えば水晶クロックとしてのＡＤＣクロック手段である他のクロック手段は、サンプリングを実行しているからである。このような適用例において、追加の電力供給低下手段が、アナログ前部の現時点で選択されていない入力チャンネルへの電力供給を低減させるために設けられていても良い。
【００１１】
一般的に、この発明は、他の回路ブロックまたはソフトウェアブロックすなわち高精度の電力管理における動作条件に基づく回路ブロックの条件付の電力供給低減のために用いられていても良い。他の適用例は、記録部への電力供給が再生モードでは切断されるＶＣＲ（Video Cassette Recorder）を含むこともでき、または、例えば呼出側の識別情報を受信するのみである受信専用モードにおけるセル電話機を含むことができ、このような受信専用モードでの送信部への電力供給は遮断される。
【００１２】
好ましくは、高精度の電力供給モードは、レジスタ内の電力供給ビットを手段として用いて設定される。高精度の電力供給ビットの１つの設定において、高精度の電力供給の低減が非活性化されるので、例えば回路ブロックの独立したまたは別個の電力供給の低減のような他の電力低減戦略を行なうことができる。高精度の電力供給ビットは電子装置のユーザにより設定され、さらに好ましくは、高精度の電力供給制御が自動的に行なわれる。
【００１３】
【発明の実施の形態】
図面を通して同一の参照番号は、同一の特徴のために用いられている。
【００１４】
図１は、この発明の実施形態に係る音響用コーデック１のブロック図であり、タッチ画面インターフェースを有し、タッチ画面２を有する適用例であり、外部プロセッサ３に接続されたＡＣ９７である。ＡＣ９７接続は、デジタル・シリアル・インターフェース・プロトコルを実行しており、前記インテル（登録商標）ＡＣ９７コンポーネント仕様書に従っている。ＡＣ９７接続は、双方向で、固定レートで、シリアルＰＣＭデジタルストリームである。これは、多重入力および出力音響およびモデムストリームを処理すると共に、時分割多重スキーム、ＳＤＡＴＡ＿ＩＮ，ＳＤＡＴＡ＿ＯＵＴを用いる制御レジスタアクセスをも処理し、接続（リンク）制御信号ＢＩＴ＿ＣＬＫおよびＳＹＮＣを用いている。さらに、信号ＲＥＳＥＴおよびＩＲＱＯＵＴが示されている。音響用コーデック１は、タッチ画面インターフェース４と、１０ビットＡＤＣ５と、ＡＣ接続Ｉ／Ｏおよび制御ブロック６と、２チャンネル２０ビット音響用ＤＡＣおよびＡＤＣ７と、を備え、ＤＡＣおよびＡＤＣ７はヘッドホンや電力を供給されたスピーカのような装置へアナログ出力信号を提供し、ＣＤプレーヤやマイクロホンのような装置からの信号を可変レートでサンプリングしている。音響用コーデック１はさらに、水晶制御発振器８と、マルチプレクサ９と、汎用目的のデジタルＩ／Ｏインターフェース１０と、を備えている。さらに、電源１１が示されている。さらに、電圧参照１２、ヘッドホン１３、電動スピーカ１４、ＣＤプレーヤ１５およびマイクロホン１６が示されている。
【００１５】
図２は、音響用コーデック１のさらに詳細なブロック構成図であり、特に、アナログ−デジタル変換器２０および２１を備える２チャンネル音響用前部を示している。もしもステレオ線入力信号が、セレクタ２２の適切な設定を介して、左右線入力ＬＩＮＥ＿ＩＮ＿ＬおよびＬＩＮＥ＿ＩＮ＿Ｒに現れたならば、ＡＤＣ２０および２１がこのようなステレオ線入力信号をサンプルする。したがって、活性化されたときにこの発明の実施形態に係る高精度の電力供給の低下を提供するならば、低雑音マイクロホン増幅器２３は電力供給を低減される。マイクロホン専用モードにおいては、プログラム可能なゲイン左右線入力増幅器２４および２５、および右チャンネルＡＤＣ２０が電力供給を低減される。１ライン・インおよび１マイクロホンモードにおいては、左線入力増幅器２５が電力供給を低下させられる。したがって、音響前部における高精度の電力供給の低下は音響前部の動作モードに依存しながら行なわれる。音響前部はさらに、マルチプレクサ２６と、ＡＣ９７接続２８に接続されたデシメーション（１０分の１）フィルタ２７と、を備えている。マイクロホンモードにおいて、モノマイクロホン信号がデシメーションフィルタ２７の左右の入力の両方に送信可能である。
【００１６】
音響コーデック１はさらに、ＤＡＣおよびＡＤＣクロックを生成するための水晶制御クロックモジュール２９と、位相固定（phase-locked）ループ（ＰＬＬ）３０とを備えている。音響サンプルレートは、８，１６，３２，４８ｋＨｚサンプルレート用の２４．５７６ＭＨｚ水晶クロックから得られ、１１．０２５，２２．０５，４４．１ｋＨｚサンプルレート用のＰＬＬ３０から得られる。活性化されたときにこの発明の実施形態による高精度の電力供給の低下を適用することにより、ＰＬＬ３０は８，１６，３２，４８ｋＨｚを設定するサンプルレート用に電力供給を低減させられ、１１．０２５，２２．０５，４４．１ｋＨｚを設定するサンプルレート用に電力供給を増加させられて、対応する音響ＤＡＣまたはＡＤＣは電力供給低減モードではなくなる。通常動作モードにおいては、全ての音響前部ブロックとＰＬＬ３０とがオンされ、通常のＡＣ９７電力管理ビットいわゆるＡＣ９７仕様書で定義されているようなＰＲビット（ＰＲ０，ＰＲ１，…，ＰＲ５）が依然として設定されても良い。例えばＰＲ０ビットの設定は、音響前部内の全てのブロックへの電力供給を低減させており、この音響前部は音響前部の種々の動作モードを考慮する高精度の電力管理ではない。通常の動作モードにおいては、高精度電力制御が非活性とされている。高精度の電力モードの活性化や非活性化は、好ましくはユーザの制御の下で行なわれる。
【００１７】
音響コーデック１はさらに、トーン（音色）／バス（低音）／３倍の設定および強調解除のようなデジタルサウンド（音声）処理特性を有する出力チャンネルと、補間フィルタ３１と、ノイズ波形成形器３２と、フィルタストリームＤＡＣ３３および３４と、およびヘッドホンドライバ３５と、を備えている。マルチプレクサ３６は、ＡＣ接続２８を使用することなく判定するループバックコーデック用に設けられている。通常動作モードにおいては、前記ＰＲ０およびＰＲ１ビットを伴うように通常の電力管理を伴って、音響入力および出力の経路が独立して電力供給を低減することができる。
【００１８】
図３は、音響コーデック１用の電力供給低下信号を示している。上述したように、所定の動作モードにおいて、電力供給低下信号ＰＤ＿ＬＩＮＲ，ＰＤ＿ＬＩＮＬ，ＰＤ＿ＯＳＣ，およびＰＤ＿ＰＬＬが、増幅器２４およびＡＤＣ２０へ、増幅器２５へ、マイクロホン増幅器２３へ、水晶発振器８へ、およびＰＬＬ３０へ、とそれぞれ供給されている。電力供給低下信号ＰＤ＿Ｌ＿ＡＤＣは、電力供給低下信号ＰＤ＿ＬＩＮＬおよびＰＤ＿ＭＩＣが入力されるアンドゲート４０の出力信号である。電力供給低下信号ＰＤ＿Ｌ＿ＡＤＣは、ＡＤＣ２１に供給されている。
【００１９】
図４Ａおよび図４Ｂは、音響コーデック１における電力供給上昇／低下モードを示す表５０である。表５０は普通の電力管理ビットＰＲ０，ＰＲ１，ＰＲ２，ＰＲ３，ＰＲ４およびＰＲ５と、高精度低電力モードビットＳＬＰＭ０およびＳＬＰＭ１と、を示している。もしもＳＬＰＭ１＝０でＳＬＰＭ０＝０ならば、高精度電力管理は、非活性化される。もしもＳＬＰＭ１＝０でＳＬＰＭ０＝１ならば、高精度電力管理は、音響前部のために活性化され、使用される音響前部のみが、その後、活性化される。もしもＳＬＰＭ１＝１でＳＬＰＭ０＝０ならば、高精度低電力モードはＰＬＬのみのために活性化される。したがって、もしも音響ＤＡＣまたはＡＤＣの何れか一方が電力供給低下モードでないならば、ＰＬＬ３０は１１．０２５、２２．０５および４４．１ｋＨｚの音響サンプリングレートのために電力の供給を上昇させるのみである。もしもＳＬＰＭ１＝１でＳＬＰＭ０＝１ならば高精度低電力モードは、音響前部およびＰＬＬの両方のために活性化される。表５０は、ＡＣ９７接続信号ＲＥＳＥＴおよびＳＹＮＣと、他の電力管理ビットおよびビット設定と、１０ビットＡＤＣ５、タッチ画面２、ＡＣ接続ＡＣＬをさらに示しており、このような他の電力管理は従来のものである。
【００２０】
図５は、この発明の実施形態に係る音響コーデックの適用例における電力の供給を上昇および低下させるのをさらに示すフローチャートである。ブロック６０において、音響用コーデック１は電力供給を上昇させられる。ＲＥＳＳＥＴは、ブロック６１で判定される。もしもリセット条件が真であれば、ブロック６２において、発振器８，ＰＬＬ３０，ＡＣ接続クロックおよびコーデックが切り換え遮断される。そうでなければ、通常動作モードが適用され、ブロック６３において、発振器８，ＡＣ接続クロックおよびコーデックが切り換え接続される。ブロック６４において、ＲＥＳＥＴは再度判定される。コールド（冷）およびウォーム（暖）リセットが区別され、全てのロジック（論理回路）およびレジスタがデフォルトに設定されるように初期化される、コールドリセットは少なくとも１μｓｅｃの間だけ非ＲＥＳＥＴを低い状態にすることにより開始され、全てのレジスタの内容が不変の状態のままにされる、ウォームリセットは、ＢＩＴ＿ＣＬＫによらずに少なくとも１μｓｅｃの間だけＳＹＮＣを高い状態にすることにより開始される。もしもブロック６４で非ＲＥＳＥＴであり、ブロック６５で非レジスタリセットが判定されるとするならば、普通の電力管理ビットＰＲ１，ＰＲ０，ＰＲ４およびＰＲ５は、判定ブロック６６，６７，６８および６９でそれぞれ判定される。もしもＰＲ１＝１ならば、ブロック７０において、出力段のコーデック、すなわち、図１に示された２チャンネル２０ビット音響ＤＡＣが、切り換え遮断（オフ）される。もしもＰＲ１＝０ならば、ブロック７１で、出力段のコーデックが切り換え接続（オン）される。同様にブロック７２，７３および７４において、入力段のコーデック、ＡＣ接続クロック、および発振器８がそれぞれ切り換え接続（オン）されて、ブロック７５，７６および７７において、入力段のコーデック、ＡＣ接続クロック、および発振器がそれぞれ切り換え遮断（オフ）される。
【００２１】
ブロック７８において、高精度の電力ビットＳＬＰＭ１が判定される。もしも設定されていなかったならば、ブロック７９で、ＰＬＬ３０が切り換えられてオンされる。もしもＳＬＰＭ１＝１、すなわち設定されているならば、ブロック８０において、音響サンプリングレートが、１１．０２５ｋＨｚの倍数であるか否かが判定される。もしも真でなかったならば、ブロック８１で、ＰＬＬ３０が切り換え遮断（オフ）される。もしも真であるならば、ブロック８２で、ＰＲ０およびＰＲ１の両方が設定されたか否か、すなわち、入力段および出力段の両方のコーデックが切り換え遮断（オフ）されたか否かが判定される。もしも真であるならば、ブロック８３で、ＰＬＬ３０が切り換え遮断（オフ）される。もしも真でないならば、ブロック８４で、ＰＬＬ３０は切り換え接続（オン）される。
【００２２】
ブロック８５では、高精度電力ビットＳＬＰＭ０が判定される。もしも設定されていなかったならば、音響前部、すなわち増幅器２３，２４および２６と、ＡＤＣ２０および２１とへの電力供給が上昇する。もしもＳＬＰＭ０＝１であるならば、ブロック８７において、左の線入力は非活性であるか否かが判定される。もしも真ならば、ブロック８８において、マイクロホン増幅器２３への電力の供給が低下し、線入力増幅器２５への電力の供給が上昇する。もしも真でなかったならば、ブロック８９において、マイクロホン増幅器２３への電力の供給が上昇して、線入力増幅器２５への電力の供給が低下する。次に、ブロック９０において、右の線入力は非活性であるか否かが判定される。もしも真であるならば、ブロック９１において、線入力増幅器２４およびＡＤＣ２０への電力の供給が低下する。もしも真でないならば、ブロック９２において、線入力増幅器２４およびＡＤＣ２０への電力の供給が上昇する。
【００２３】
この発明は、音響コーデックに関し、音響コーデックの適用例について説明されていた。この発明はまた、他の電子装置や適用例に適用することもできる。この発明の１つの他の使用は、ＶＣＲに対して高精度の停電力モードを適用することである。このようなＶＣＲが再生モードであり、したがって上述した高精度の低電力モードを適用しているときに、その記録回路への電力の供給は低下する。この発明のさらに他の使用は、バッテリにより駆動される電話機に高精度低電力モードを適用している。このような電話機が受信専用機能モードにあるとき、例えば、発呼者ＩＤ受信モードにあるとき、従って、上述したように高精度低電力モードを適用しているときに、その送信回路は切り換え遮断（オフ）される。
【００２４】
この発明は、レジスタおよび／または状態マシンにハードウェアブロック、ビットを設定する動作に基づいて、電力供給を低下させるものとして説明した。選択的には、この発明による電力供給の低下は、ハードウェアブロックとプログラム化されたマシン（ソフトウェア）との組合せに基づくこともでき、これによって上述された機能を実現することもできる。
【００２５】
上述した観点より、種々の変更がこの明細書に添付された特許請求の範囲に定義された発明の範囲や要旨内でなされると共に、この発明が提供された実施例に限定されないことは、この発明の属する技術分野の熟練者にとっては明らかなことであろう。「備える」という単語は特許請求の範囲に用いられた構成要素やステップ以外の他の要素の存在を排除するものではない。
【図面の簡単な説明】
【図１】
タッチ画面および外部プロセッサに接続するＡＣ９７を備える適用例におけるこの発明の実施形態にしたがった音響用コーデックを示すブロック図である。
【図２】
この発明の実施形態に係る音響用コーデックをより詳細に示すブロック図である。
【図３】
この発明の実施形態に係る音響用コーデックに用いられる電力供給低下信号を示す説明図である。
【図４Ａ】
この発明の実施形態に係る音響用コーデックにおける電力供給上昇／低下モードを示す表の前半部分である。
【図４Ｂ】
この発明の実施形態に係る音響用コーデックにおける電力供給上昇／低下モードを示す表の後半部分である。
【図５】
この発明の実施形態に係る音響用コーデックの適用例における電力供給上昇および低下を示すフローチャートである。
【符号の説明】
１  電子装置
８  第１のクロック手段
２０〜２５  第１の電子回路
２９，３０  第２の電子回路
２０〜２７  アナログ前部
３０  第２のクロック手段
【図１】
2005509212.tif 000003
【図２】
2005509212.tif 000004
【図３】
2005509212.tif 000005
【図４Ａ】
2005509212.tif 000006
【図４Ｂ】
2005509212.tif 000007
【図５】
2005509212.tif 000008
【国際調査報告】
2005509212.tif 000009
2005509212.tif 000010
2005509212.tif 000011